(57)【要約】【課題】ＬＥＤ投光器３０を小型化する。【解決手段】ＬＥＤ投光器３０の筐体３１には、流出側パンチング部３２と流入側パンチング部３４とが形成されている。これら流出側パンチング部３２と流入側パンチング部３４は、筐体３１の外部と内部とを連通する孔を複数備えている。ＬＥＤは、筐体３１の円筒状部分３１ａの軸方向Ｄ側の端部に配置される。筐体３１内において、流出側パンチング部３２と流入側パンチング部３４との間には、ファンが配置されている。ＬＥＤを駆動するとき、ファンを駆動することで、流入側パンチング部３４から流入した空気がＬＥＤを冷却し、流出側パンチング部３２から排出される。【選択図】  図２
2014154434.tif 000002
【特許請求の範囲】
【請求項１】
屋外で使用されるＬＥＤ投光器において、
ＬＥＤと、
ファンと、
前記ＬＥＤおよび前記ファンをおさめるための筐体とを備え、
前記筐体には、通風孔が形成されており、
前記通風孔は、前記ファンよりもＬＥＤ側にある第１通風孔と、前記ファンに対して前記ＬＥＤとは逆側にある第２通風孔とを備える
ことを特徴とするＬＥＤ投光器。
【請求項２】
前記ファンは、前記第２通風孔から吸入した空気を前記第１通風孔を介して外部に流出させるものである
ことを特徴とする請求項１記載のＬＥＤ投光器。
【請求項３】
前記筐体は、円筒状部分を備え、
前記第１通風孔は、前記円筒状部分において、該円筒状部分の断面を２等分した１の円弧領域に限って形成されている
ことを特徴とする請求項１または２記載のＬＥＤ投光器。
【請求項４】
前記筐体は、円筒状部分を備え、
前記第２通風孔は、前記筐体のうち前記ファンに対して前記ＬＥＤとは逆側の端面に設けられる端面側通風孔を含み、
前記筐体は、前記逆側の端面に対して前記円筒状部分とは逆側に突き出したひさし部を備える
ことを特徴とする請求項１から３のいずれか１項に記載のＬＥＤ投光器。
【請求項５】
前記ファンを挟む前記筐体の一対の端部のうちの一方は、開口部とされており、
前記開口部を覆うアルミ基板を備え、
前記アルミ基板のうちの前記ファン側の面には、ヒートシンクが接続されており、
前記アルミ基板のうちの前記ファンとは反対側の面には、ＬＥＤが実装されている
ことを特徴とする請求項１から４のいずれか１項に記載のＬＥＤ投光器。
【請求項６】
前記ファンおよび前記ＬＥＤのそれぞれは、外部電源から電流が供給される配線に接続され、前記外部電源による電流の供給、および停止に応じて駆動および停止される
ことを特徴とする請求項１から５のいずれか１項に記載のＬＥＤ投光器。
【請求項７】
前記ＬＥＤは、前記ファンを挟む前記筐体の一対の端部のうちの一方側に配置されており、
前記筐体のうちの前記一方の端部側には、前記ＬＥＤを覆う遮蔽手段が接続可能とされ、
前記遮蔽手段には、該遮蔽手段を屋外に固定可能な固定手段が接続されていることを特徴とする請求項１から６のいずれか１項に記載のＬＥＤ投光器。
【請求項８】
前記遮蔽手段は、
前記筐体に接続される部分から離間するにつれて口径を拡大する反射部材と、
該反射部材のうち前記筐体に接続される部分とは逆側の開口部を覆う透明部材と、
を備え、
前記ＬＥＤは、前記反射部材および前記透明部材によって区画される空間内の気体と接触可能とされている
ことを特徴とする請求項７記載のＬＥＤ投光器。
【発明の詳細な説明】
【技術分野】
【０００１】
本発明は、ＬＥＤ投光器に関し、特に小型化に寄与するＬＥＤ投光器に関する。
【背景技術】
【０００２】
たとえば下記特許文献１には、屋外用のＬＥＤ投光器が提案されている。このＬＥＤ投光器では、その筐体内にＬＥＤや電源装置を収容している。ここで、ＬＥＤや電源装置は、シリコーン樹脂等によりコーティングされて防水性を保持するように構成されている（段落「００４２」）。
【先行技術文献】
【特許文献】
【０００３】
【特許文献１】特開２０１２−３８５０４号公報
【発明の概要】
【発明が解決しようとする課題】
【０００４】
ところで、ＬＥＤを駆動することでＬＥＤ自体や電源装置に熱が発生する。このため、ＬＥＤ投光器の放熱能力が低い場合には、ＬＥＤ投光器内部の温度が過度に上昇し、ひいてはＬＥＤ投光器の信頼性の低下を招くおそれがある。このため、ＬＥＤ投光器は、放熱性能を確保可能な大きさを有することが必要であり、ＬＥＤ投光器が大型化するという問題点があった。
【０００５】
本発明は、上記問題点を解決するためになされたものであり、その目的は、小型化を実現することのできるＬＥＤ投光器を提供することにある。
【課題を解決するための手段および発明の効果】
【０００６】
請求項１記載のＬＥＤ投光器では、第１通風孔および第２通風孔によってファンが挟まれるように配置されているため、ファンを駆動することで、第１通風孔および第２通風孔のいずれか一方から他方へと空気が流動する。そして、この空気の流動により、筐体の外部から吸入された空気にＬＥＤの熱エネルギが吸収され、熱エネルギを吸収した高温の空気が筐体の外部に排出される。したがって、ＬＥＤの発生する熱をＬＥＤ投光器の外部へと効率的に排出することができるため、ＬＥＤの温度が過度に上昇する事態を回避することができる。このため、空気を流動させず自然放熱によってＬＥＤの温度が過度に高くならないようにする場合と比較して、筐体に要求される表面積を小さくできることから、筐体を小型化することができる。
【０００７】
請求項２記載のＬＥＤ投光器では、第２通風孔から吸入した空気を第１通風孔を介して外部に流出させるようにファンを設定する。ここで、ＬＥＤは、第２通風孔よりも第１通風孔側に設けられている。このため、第１通風孔から吸入した空気を第２通風孔を介して外部に流出させる場合と比較して、ＬＥＤへと向かう空気量が増量することを期待できる。したがって、請求項１記載のＬＥＤ投光器の効果に加えて、ＬＥＤの冷却効率が向上することを期待できる。
【０００８】
請求項３記載のＬＥＤ投光器では、筐体の円筒状部分に形成される第１通風孔は、円筒状部分の断面を２等分した１の円弧領域に限られている。この１の円弧領域を、残りの円弧領域よりも垂直下方に配置することで、上記第１通風孔の垂直上方を残りの円弧領域によって覆うことができる。このため、請求項１または２記載のＬＥＤ投光器の効果に加えて、雨が第１通風孔を介して筐体内部に流入する事態を好適に抑制することができるという効果を奏する。
【０００９】
請求項４記載のＬＥＤ投光器では、逆側の端面に第２通風孔を設けるとともに、ひさし部を設けることで、請求項１から３のいずれか１項に記載のＬＥＤ投光器の効果に加えて、逆側の端面に設けられた第２通風孔を介して筐体内部に雨等が流入する事態をひさし部によって好適に抑制することができるという効果を奏する。
【００１０】
請求項５記載のＬＥＤ投光器では、筐体の開口部をアルミ基板によって覆って、アルミ基板のうちファンに対向する面の裏面側にＬＥＤを実装することで、アルミ基板よりもファン側の流体（雨水等）にＬＥＤが曝される事態をアルミ基板によって好適に抑制することができる。また、アルミ基板にヒートシンクが接続されることで、ＬＥＤによって発生した熱を、アルミ基板を介してヒートシンクに高効率で伝導させることができる。したがって、請求項１から４のいずれか１項に記載のＬＥＤ投光器の効果に加えて、さらに、ＬＥＤへの雨等の侵入を抑制しつつもＬＥＤからの熱を好適に放熱させることができるという効果を奏する。
【００１１】
請求項６記載のＬＥＤ投光器では、ファンおよびＬＥＤは、筐体の外部からの電流の供給および停止に応じて駆動および停止の制御がなされる。すなわち、筐体内に、ファンやＬＥＤの駆動回路を備えない。このため、請求項１から５のいずれか１項に記載の効果に加えて、ＬＥＤ投光器をいっそう小型、軽量化することができるという効果を奏する。
【００１２】
請求項７記載のＬＥＤ投光器では、遮蔽手段を接続することで、ＬＥＤの前面が雨風に曝される事態を回避することができる。さらに、遮蔽手段に固定手段が接続されるため、ＬＥＤ投光器の取替に際しては、固定手段および遮蔽手段を移動させることなく、遮蔽手段への接続対象となるＬＥＤ投光器のみを取り替えることができる。したがって、請求項１から６のいずれか１項に記載のＬＥＤ投光器の効果に加えて、ＬＥＤの前面が風雨にさらされる事態を回避可能な手段である遮蔽手段が固定された状態で、遮蔽手段との接続対象としてのＬＥＤ投光器を交換することができるという効果を奏する。
【００１３】
請求項８記載のＬＥＤ投光器では、遮蔽手段として、反射部材を備えるものを選択する。ここで、反射部材には、ＬＥＤ投光器よりも指向性の弱い配光特性を有した発光体を用いた場合であっても、ＬＥＤ投光器と同程度の指向性を付与することを期待できる。換言すれば、この遮蔽手段は、ＬＥＤ以外の発光体の遮蔽手段となりうるものである。このため、請求項１から７のいずれか１項に記載のＬＥＤ投光器の効果に加えて、ＬＥＤ以外の発光体の遮蔽手段となりうるものに、当該ＬＥＤ投光器を接続可能とすることで、ＬＥＤ以外の発光体からＬＥＤ投光器への取り替えを容易に行うことができるという効果を奏する。
【図面の簡単な説明】
【００１４】
【図１】第１の実施形態にかかるＬＥＤ照明装置の側面図、および斜視図。
【図２】ＬＥＤ照明装置の斜視図、背面図、および断面図。
【図３】ＬＥＤ投光器の断面構造を示す断面図。
【図４】ＬＥＤ投光器の冷却機能の説明に用いるＬＥＤ投光器の断面図。
【図５】上記ＬＥＤ投光器の変形例の断面構成を示す断面図。
【発明を実施するための形態】
【００１５】
以下、本発明にかかる一実施形態について、図面を参照しつつ説明する。
【００１６】
図１（ａ）に、本実施形態にかかるＬＥＤ照明装置１０の側面構成を示す。
【００１７】
図示されるように、ＬＥＤ照明装置１０は、屋外使用を想定したものである。詳しくは、たとえば、屋外運動場や屋外集会場における照明装置を想定している。
【００１８】
ＬＥＤ照明装置１０は、傘部２０と、傘部２０の開口部を覆う窓部２１と、傘部２０に接続されるＬＥＤ投光器３０と、ＬＥＤ投光器３０に電力を供給するための配線２６ａ，２６ｂと、配線２６ａ，２６ｂに接続される電源装置２８とを備えている。
【００１９】
ＬＥＤ投光器３０は、消費電力が数百Ｗであり、全光速が数万ｍｌのものである。また、電源装置２８は、単相交流２００Ｖの電力を入力し、ＬＥＤ投光器３０に配線２６ａ，２６ｂを介して電圧を印加することで電流を出力する駆動回路を備えている。一方、傘部２０には、固定手段（固定部材２２）が回転可能に接続されている。固定部材２２は、傘部２０を屋外の照明施設を構成する支柱等に固定するものである。
【００２０】
図１（ｂ）に、ＬＥＤ照明装置１０の斜視図を示す。図示されるように傘部２０は、その開口面積が、ＬＥＤ投光器３０との接続部から離間するにつれて拡大するものである。傘部２０の内周は、反射鏡となっている。このため、傘部２０は、水銀灯等、指向性の弱い配光特性を有した発光体が接続された場合に、照明装置としての配光特性を、指向性の強いものとするための反射部材である。一方、傘部２０のうちのＬＥＤ投光器３０に接続される側とは逆側の開口部は、窓部２１によって覆われている。窓部２１は、ＬＥＤ投光器３０からの光を透過させる透明部材である。
【００２１】
図２（ａ）に、ＬＥＤ投光器３０の側面図を示す。図示されるように、ＬＥＤ投光器３０の筐体３１は、たとえばステンレスにて構成される。筐体３１は、円筒状部分３１ａと、円筒状部分３１ａのうちの上記傘部２０との接続側とは逆側の端部から延びるひさし部３１ｂと、傘部２０に接続するための接続部３１ｃとを備えている。そして、筐体３１のうち、円筒状部分３１ａには、流出側パンチング部３２および流入側パンチング部３４が形成されており、これら流出側パンチング部３２および流入側パンチング部３４によって、筐体３１の内部と外部とが連通している。
【００２２】
図２（ｂ）に、ＬＥＤ投光器３０の背面図（図２（ａ）における矢印ＩＩｂ方向から投光器３０をみた図）を示す。図示されるように、筐体３１は、さらに、円筒状部分３１ａを遮蔽する端面部３１ｄを備えている。端面部３１ｄは、円筒状部分３１ａの軸方向Ｄ（図２（ａ）参照）を法線方向とする円盤状の部材である。そして、端面部３１ｄには、流入側パンチング部３６が形成されており、流入側パンチング部３６によって、筐体３１の内部と外部とが連通している。詳しくは、ひさし部３１ｂは、円筒状部分３１ａと同一口径の半円弧状のものであり、流入側パンチング部３６は、端面部３１ｄのうちのひさし部３１ｂと、ひさし部３１ｂの両端部を結ぶ線とによって区画される領域に形成されている。
【００２３】
図２（ｃ）に、図２（ａ）のＩＩｃ−ＩＩｃ断面図を示す。ただし、図２（ｃ）においては、筐体３１の円筒状部分３１ａの断面構造のみを記載している。ここで、一点鎖線は、円筒状部分３１ａの断面を２等分する線である。図示されるように、上記流出側パンチング部３２は、円筒状部分３１ａの断面のうち上記一点鎖線にて２等分された１の円弧領域に限って形成されている。なお、流入側パンチング部３４の形成領域についても、流出側パンチング部３２が形成される１の円弧領域に限って形成されている。
【００２４】
上記流出側パンチング部３２は、本実施形態において第１通風孔を構成するものであり、流入側パンチング部３４，３６は、本実施形態において第２通風孔を構成するものである。これら流出側パンチング部３２および流入側パンチング部３４，３６は、筐体３１にパンチング加工によって複数の孔を開けることで形成されたものである。ここで、各孔の口径は、目詰まりを起こしにくい程度に大きく、大量の水が入る事態を回避できる程度には小さく設定することが望ましい。本実施形態では、これらの点に鑑み、しぶき程度の水が入る程度の口径とすることを想定している。なお、上記流出側パンチング部３２を構成する孔の総面積と、流入側パンチング部３４，３６を構成する孔の総面積とは同程度とされる。
【００２５】
図３に、図２（ｂ）のＩＩＩ−ＩＩＩ断面図を模式的に示す。図示されるように、ひさし部３１ｂは、端面部３１ｄと円筒状部分３１ａとの接触部分よりも外側につき出すように形成されている。なお、ひさし部３１ｂは、円筒状部分３１ａと一体的に形成されている。
【００２６】
筐体３１内には、ファン４０が設けられている。ファン４０は、交流電動機と羽根車とを備えて構成されるものであり、交流電動機には、配線２６ｂを介して先の図１に示した電源装置２８から交流電流が供給される。ファン４０は、流出側パンチング部３２と流入側パンチング部３４との間に配置されている。すなわち、ファン４０は、流入側パンチング部３４よりも軸方向Ｄ側に配置されており、流出側パンチング部３２は、ファン４０よりも軸方向Ｄ側に設けられている。そして、ファン４０は、端面部３１ｄ側からＬＥＤ５２側へと気体を送るように設定されている。この設定は、ファン４０を構成する羽根車の形状と交流電動機の回転方向とによって実現することができる。なお、ファン４０は、内蔵の電動機のステータ等が円筒状部分３１ａの内周面に固定されるものであるが、図３ではこれについて記載していない。
【００２７】
筐体３１の円筒状部分３１ａのうち端面部３１ｄとは逆側（接続部３１ｃ側）は、開口部となっており、ここには、アルミ基板５０がはめ込まれている。換言すれば、開口部は、アルミ基板５０によって覆われている。そして、アルミ基板５０の一対の面のうちファン４０に対向する側の面には、放熱板（ヒートシンク４２）が接続されている。本実施形態では、ヒートシンク４２を、アルミ製とする。アルミ基板５０とヒートシンク４２との接続として、本実施形態では、ネジ止めを想定している。この際、アルミ基板５０とヒートシンク４２との接触面には、放熱グリスが塗られている。これは、アルミ基板５０とヒートシンク４２との接触面における熱伝導性を向上させるための設定である。
【００２８】
アルミ基板５０の一対の面のうち、ヒートシンク４２に接続されない側の面には、ＬＥＤ５２が複数個実装されている。これらＬＥＤ５２には、配線２６ａを介して電流が供給される。配線２６ａは、アルミ基板５０に開けられた孔を介してアルミ基板５０のうちヒートシンク４２が接続される側とＬＥＤ５２が実装される側との間を結ぶ電気経路である。ちなみに、図では、１つのＬＥＤ５２と配線２６ａとの接続のみを記載しているが、実際には、アルミ基板５０に実装されたＬＥＤ５２の全てが配線２６ａに接続されている。なお、アルミ基板５０には、実際には、ＬＥＤ５２の他に、抵抗体等が実装されていてもよい。ただし、本実施形態において、ＬＥＤ５２の駆動回路は、電源装置２８に搭載されているため、アルミ基板５０にＬＥＤ５２の駆動回路が実装されることはない。
【００２９】
上記ＬＥＤ５２の前面（ＬＥＤ５２よりも軸方向Ｄ側）には、レンズ５４が設けられている。レンズ５４は、ＬＥＤ投光器３０の配光特性をＬＥＤ５２自体の配光特性よりも指向性を弱めたものとすることなどを目的として設けられるものである。ただし、本実施形態において、レンズ５４を透過した光は、基本的には、傘部２０の内周にて反射されることなく、屋外に到達するように設定されている。すなわち、ＬＥＤ投光器３０自体によって、所望の配光特性が実現されており、所望の配光特性を実現するうえで傘部２０の内周は機能していない。なお、レンズ５４は、ＬＥＤ５２の１個、または複数個に対して１つ設けられている。
【００３０】
レンズ５４は、筐体３１の前面（ＬＥＤ５２が配置される側の面）を遮蔽する機能を有していない。このため、ＬＥＤ投光器３０が上記傘部２０に接続されない場合、ＬＥＤ５２は外気に曝された状態となる。これに対し、ＬＥＤ投光器３０が上記傘部２０に接続されると、ＬＥＤ投光器３０の前面は、傘部２０および窓部２１によって覆われる。ここで、接続部３１ｃを傘部２０に接続するに際してはパッキン等が用いられ、遮蔽性を高めている。これにより、ＬＥＤ５２は、アルミ基板５０、筐体３１、傘部２０、および窓部２１によって外部から遮蔽されることとなる。ここで、アルミ基板５０、筐体３１、傘部２０、および窓部２１によって区画された領域と筐体３１のうちファン４０側の領域とを連通させうるのは、アルミ基板５０と配線２６ａとのクリアランス程度に過ぎない。ちなみに、傘部２０の内側は、接続部３１ｃとの接触部分に弾性部材等を有したロック機構を備えて構成すればよい。
【００３１】
図４に、ファン４０が駆動された場合の空気の流れを、図２（ｂ）のＩＩＩ−ＩＩＩ断面模式図を用いて模式的に示す。なお、ファン４０は、ＬＥＤ５２が駆動されているときに駆動される。
【００３２】
図示されるように、ファン４０が駆動されると、流入側パンチング部３４，３６を介して筐体３１の外部の空気が筐体３１の内部に吸入され、ヒートシンク４２に吹き付けられる。これにより、ＬＥＤ５２の駆動によって生成され、アルミ基板５０を介してヒートシンク４２に伝導した熱エネルギが、ヒートシンク４２に吹きつけられた空気に吸収される。熱エネルギを吸収した空気は、流出側パンチング部３２を介して筐体３１の外部に排出される。
【００３３】
以上説明した本実施形態によれば、以下の効果が得られるようになる。
【００３４】
（１）ＬＥＤ投光器３０の筐体３１に、流出側パンチング部３２および流入側パンチング部３４，３６を形成するとともに、ファン４０を備えた。これにより、流入側パンチング部３４，３６を介して筐体３１の外部の空気を吸入し、吸入した空気を流出側パンチング部３２を介して筐体３１の外部に排出することができる。したがって、筐体３１内の空気を外気と交換することができることから、筐体３１の内部の熱エネルギを外部に効率よく放出することができる。したがって、空気を流動させず自然放熱によってＬＥＤ５２の温度が過度に高くならないようにする場合と比較して、筐体３１を小型化することができる。
【００３５】
（２）ファン４０に対してＬＥＤ５２とは逆側に設けられた流入側パンチング部３４，３６を介して空気を吸入するようにファン４０（羽根車の形状や電動機の回転方向）を設定した。これにより、流入側パンチング部３４，３６を介して吸入した空気をＬＥＤ５２に吹き付け、吹き付けた空気を流出側パンチング部３２を介して外部に流出させることができる。このため、ファン４０よりＬＥＤ５２側の通風孔（流出側パンチング部３２）を介して吸入した空気を、ファン４０に対してＬＥＤ５２とは逆側に設けられた通風孔（流入側パンチング部３４，３６）を介して排出する場合と比較して、ＬＥＤ５２へと向かう空気量が増量することを期待できる。
【００３６】
（３）流出側パンチング部３２および流入側パンチング部３４を、円筒状部分３１ａの断面を２等分した１の円弧領域に限って形成して且つ、この領域を、残りの円弧領域よりも垂直下方に配置した。これにより、流出側パンチング部３２および流入側パンチング部３４の垂直上方領域は、上記残りの円弧領域によって覆われることとなるため、雨が流出側パンチング部３２および流入側パンチング部３４を介して筐体３１内部に流入する事態を好適に抑制することができる。したがって、ファンを設けることなく放熱性能を満たすような体格にＬＥＤ投光器を設定するいわゆる自然放熱の場合と比較して、安定した放熱性能を確保することができる。すなわち、自然放熱の場合、筐体の外周自体が放熱部品となることから、酸化等の経年変化によって放熱性能が低下しやすい。これに対し、本実施形態では、筐体３１内に雨水が流入する事態を好適に抑制することができることから、ヒートシンク４２等、放熱部品の経年劣化を好適に抑制することができる。
【００３７】
（４）端面部３１ｄに流入側パンチング部３６を形成するとともに、ひさし部３１ｂを設けた。これにより、流入側パンチング部３６を介して筐体３１内部に雨等が流入する事態をひさし部３１ｂによって好適に抑制することができる。したがって、ファンを設けることなく放熱性能を満たすような体格にＬＥＤ投光器を設定するいわゆる自然放熱の場合と比較して、安定した放熱性能を確保することができる。すなわち、自然放熱の場合、筐体の外周自体が放熱部品となることから、酸化等の経年変化によって放熱性能が低下しやすい。これに対し、本実施形態では、筐体３１内に雨水が流入する事態を好適に抑制することができることから、ヒートシンク４２等、放熱部品の経年劣化を好適に抑制することができる。
【００３８】
（５）筐体３１の内部に空気を吸入するための通風孔として、流入側パンチング部３４と流入側パンチング部３６とを設けた。これにより、たとえば、流入側パンチング部３４のみで孔の総面積を適切な値（流出側パンチング部３２の孔の総面積程度）とする場合と比較して、円筒状部分３１ａの軸方向Ｄの長さを短くすることができる。また、たとえば、流入側パンチング部３６のみで孔の総面積を適切な値（流出側パンチング部３２の孔の総面積程度）とする場合と比較して、円筒状部分３１ａの口径を小さくすることができる。ちなみに、先の図２（ｂ）に示したように、流入側パンチング部３６は、端面部３１ｄの全面には形成されていないが、これは、流入側パンチング部３６の形成領域を、雨等の侵入をひさし部３１ｂによって効果的に妨げることができる領域に限ったためである。以上より、流入側パンチング部３４と流入側パンチング部３６とを設けることで、ＬＥＤ投光器３０のさらなる小型化、軽量化に寄与する。
【００３９】
（６）筐体３１の開口部をアルミ基板５０によって覆い、アルミ基板５０のうちファン４０に対向する面の裏面側にＬＥＤ５２を実装した。これにより、筐体３１のうちファン４０側の領域の流体がＬＥＤ５２へと侵入する事態を好適に抑制することができる。
【００４０】
（７）アルミ基板５０のうちファン４０側の面にヒートシンク４２を接続した。これにより、ＬＥＤ５２によって発生した熱を、アルミ基板５０を介してヒートシンク４２に高効率で伝導させることができる。
【００４１】
（８）ＬＥＤ５２およびファン４０を駆動する駆動回路（電源装置２８）を、ＬＥＤ投光器３０に対して外付けした。これにより、少なくとも、ＬＥＤ投光器３０内に駆動回路を取り込むことによる駆動回路自体の容積や、駆動回路の防水性を確保する手段の容積の分だけ、筐体３１内の容積を低減することができる。さらに、駆動回路自体が発熱することに鑑みれば、この発熱による温度上昇を抑制する要請を満たすうえでの筐体３１の大型化や、ファン４０等の能力向上の要求をも回避することができる。
【００４２】
（９）ＬＥＤ投光器３０を、水銀灯等が接続される傘部２０に接続可能とした。これにより、傘部２０および窓部２１によって、ＬＥＤ５２の前面を遮蔽することができる。また、傘部２０および窓部２１ならびにアルミ基板５０によって区画される領域が大容量であることから、ＬＥＤ５２の前面領域の温度が過度に高くなる心配もない。ちなみに、ＬＥＤ投光器３０の前面を、傘部２０および窓部２１以外の遮蔽手段で覆う際には、遮蔽手段およびアルミ基板５０によって区画される領域の容積は、傘部２０および窓部２１ならびにアルミ基板５０によって区画される領域の容積よりは小さくてもよいが、過度の温度上昇を回避するうえではある程度の容積を確保する必要が生じる。
【００４３】
また、ＬＥＤ投光器３０を、水銀灯等が接続される傘部２０に接続可能とすることにより、水銀灯等が接続されていた傘部２０において、水銀灯等の寿命がくることで、ＬＥＤに取り替えることができる。
【００４４】
また、傘部２０が固定部材２２を介して固定された状態においてＬＥＤ投光器３０を傘部２０に接続することができることから、ＬＥＤへの取替に際して、屋外照明施設の変更箇所を最低限にとどめることができる。
【００４５】
さらに、水銀灯等が接続されていた傘部２０にＬＥＤ投光器３０を接続するがゆえに、上記ＬＥＤ投光器３０の小型化、軽量化が特に有効となっている。これは、ＬＥＤ投光器３０が大型化する場合に傘部２０への接続が困難となることに加えて、ＬＥＤ投光器３０の重量が、水銀灯等と比較して過度に重くなると、ＬＥＤ投光器３０を傘部２０に接続することで、傘部２０や固定部材２２等の信頼性の低下につながりやすいためである。
【００４６】
加えて、屋外照明施設にＬＥＤ投光器３０を取り付ける作業が生じるがゆえに、上記ＬＥＤ投光器３０の小型化、軽量化が特に有効となっている。これは、屋外照明施設に発光体を取り付ける作業において、発光体が大きければ大きいほど、また重ければ重いほど、作業が困難となるためである。
【００４７】
＜その他の実施形態＞
以上、上記実施形態に基づき本発明を説明したが、本発明は上記形態に何ら限定されるものではなく、本発明の趣旨を逸脱しない範囲内で種々の変形改良が可能であることは容易に推察できるものである。各実施形態は、それぞれ、他の実施形態が有する構成の一部または複数部分を、その実施形態に追加し或いはその実施形態の構成の一部または複数部分と交換等することにより、その実施形態を変形して構成するようにしてもよい。以下、上記実施形態の変形例としての実施形態を記載する。
【００４８】
「通風孔について」
第２通風孔としては、流入側パンチング部３４および流入側パンチング部３６を備えるものに限らない。たとえば、筐体３１の外周下方に形成される流入側パンチング部３４の面積を十分に確保することができるなら、流入側パンチング部３６についてはこれを削除してもよい。この場合、ひさし部３１ｄをも削除することが望ましい。またたとえば、流入側パンチング部３６によって十分な面積を確保できるなら、流入側パンチング部３４を削除してもよい。
【００４９】
第１通風孔としては、筐体３１のうち下方に配置される部分に、連続する１つの領域として形成されるもの（流出側パンチング部３２）に限らない。たとえば、筐体３１の外周のうち最も下方に位置する部分には形成しないことで、流出側パンチング部３２を２つの領域に分離してもよい。
【００５０】
また、第１通風孔や第２通風孔を筐体３１の円筒状部分３１ａに形成する場合の形成位置については、円筒状部分３１ａの断面を２等分する１の円弧領域に限って形成することも必須ではない。たとえば、第１通風孔および第２通風孔のいずれか一方を１の円弧領域に形成し、他方を残りの円弧領域に形成してもよい。この場合であっても、これら第１通風孔や第２通風孔の垂直下方領域にファン４０やヒートシンク４２が存在しない設定とするなら、ファン４０やヒートシンク４２が雨水に打たれることもないため、それらの劣化を抑制することができる。
【００５１】
「逆側の端面について」
逆側の端面としては、円筒状部分３１ａの軸方向Ｄを法線とするものに限らない。たとえば、図５に示すＬＥＤ投光器１３０のように、端面部１３１ｄが軸方向Ｄに対して傾いた法線を有してもよい。ここで、図５において先の図３に示した部材に対応するものについては同一の符号を付している。この場合、ひさし部１３１ｂの存在とは別に、端面部１３１ｄの配置自体に、端面側通風孔（流入側パンチング部３６）を介して筐体３１内部に水が入ることを抑制する機能を付与することができる。なお、図５において、ひさし部１３１ｄを削除してもよい。
【００５２】
「ファンについて」
第２通風孔（流入側パンチング部３４および流入側パンチング部３６）から吸入した空気を第１通風孔（流出側パンチング部３２）を介して外部に流出させるものに限らない。たとえば、ファン４０よりもＬＥＤ５２側に位置する第１通風孔から吸入した空気を、ファンに対してＬＥＤ５２とは逆側に位置する第２通風孔を介して外部に流出させるものであってもよい。この場合であっても、ファン４０によって第１通風孔から吸入された空気とヒートシンク４２との間で熱交換がなされることで、ＬＥＤ５２を冷却することができる。
【００５３】
なお、ファン４０内蔵の電動機としては、交流電動機に限らず、直流電動機としてもよい。この場合、電源装置２８からファン４０に交流電圧を印加して交流電流を出力する代わりに、直流電圧を印加して直流電流を出力すればよい。
【００５４】
「ＬＥＤ駆動回路（電源）について」
上記実施形態では、駆動回路をＬＥＤ照明装置１０に対して外付けしたが、これに限らない。たとえばＬＥＤ投光器３０に内蔵してもよい。ただし、この場合、駆動回路の防水性を確保する設定を施して且つ駆動回路の熱をヒートシンク４２に効率よく伝播させることが望ましい。
【００５５】
「遮蔽手段について」
反射部材を備えることは必須ではない。たとえば、ＬＥＤ５２の前面を外部に対して遮蔽するとともにＬＥＤ５２の光を外部に透過させることが可能な手段であって且つ、水銀灯用に製造されたものではなくＬＥＤ投光器３０専用に製造された手段であってもよい。この場合であっても、第１通風孔および第２通風孔のいずれか一方から吸入した空気を他方に流出されることで、筐体３１内の空気と筐体３１外部の空気とを入れ替え可能な構成とすることは、省スペースで冷却性能を確保するうえで有効である。なお、この際、遮蔽手段とアルミ基板５０とによって区画される空間の容積を、該容積内の温度が過度に高くならない大きさに設定する。
【００５６】
「そのほか」
固定手段としては、遮蔽手段に接続されるものに限らず、ＬＥＤ投光器３０に接続されるものであってもよい。
【００５７】
ＬＥＤ５２が実装される基板としてはアルミ基板に限らない。この際、熱伝導率を高く維持するうえでは、金属基板とすることが望ましい。ただし、金属基板とすることも必須ではなく、たとえば樹脂基板であってもよい。
【００５８】
ヒートシンク４２の材料としては、アルミに限らず、たとえば銅やステンレス等であってもよい。
【００５９】
ＬＥＤの光の進行方向としては、傘部２０の内周に反射されることがない程度の指向性を有したものに限らず、傘部２０の内周によって反射されることを前提としたものとしてもよい。換言すれば、傘部２０によってＬＥＤ投光器３０に要求される配光特性を満たすものであってもよい。
【００６０】
ＬＥＤ５２の前面にレンズ５４を設けることも必須ではない。
【００６１】
筐体３１としては、円筒状部分３１ａを備えるものに限らない。たとえば６角型状部分等、Ｎ角形状部分（Ｎ≧４）を備えるものであってもよい。この場合、Ｎ角形状部分に形成される通風孔は、Ｎ角形状部分の断面を２等分する１の弧の領域に限ることが望ましい。
【符号の説明】
【００６２】
２０…傘部（反射部材、遮蔽手段）、２１…窓部（透明部材）、２２…固定部材（固定手段）、２６ａ，２６ｂ…配線、２８…電源装置（外部電源）、３０，１３０…ＬＥＤ投光器、３１…筐体、３１ａ…円筒状部分、３１ｂ，１３１ｂ…ひさし部、３１ｄ，１３１ｄ…端面部（逆側の端面）、３２…流出側パンチング部（第１通風孔）、３４，３６…流入側パンチング部（第２通風孔）、４０…ファン、４２…ヒートシンク、５０…アルミ基板、５２…ＬＥＤ。
【図１】
2014154434.tif 000003
【図２】
2014154434.tif 000004
【図３】
2014154434.tif 000005
【図４】
2014154434.tif 000006
【図５】
2014154434.tif 000007